(57)【要約】【課題】  本考案は、タンスや食器棚等の家具と天井の間の空隙に嵌め込んで隙間をなくし、地震等の振動によって家具類が転倒するのを防止することができる家具転倒防止装置に関するものである。【解決手段】  合成樹脂を原料とする独立発泡体の切断が容易で、軽量にして強靭な板状の支柱及び該支柱を嵌合して挟持固定する溝を少なくとも両側に有するお盆状の底函と蓋函よりなり、家具と天井の空間の高さに応じて該支柱の高さを任意に切断調整した後に該支柱を底函と蓋函の溝に差し込んで枠体となし、これを家具と天井の空隙部に載置することにより家具の転倒を防止する。【選択図】    図３
0003104195.tif 000002
【実用新案登録請求の範囲】
【請求項１】
合成樹脂を原料とする独立発泡体の切断が容易で、軽量にして強靭な板状の支柱及び該支柱を嵌合して挟持固定する溝を少なくとも両側に有するお盆状の底函と蓋函よりなり、家具と天井の空間の高さに応じて該支柱の高さを任意に切断調整した後に該支柱を底函と蓋函の溝に差し込んで枠体となし、これを家具と天井の空隙部に載置することにより家具の転倒を防止できるようにしたことを特徴とする家具転倒防止装置
【請求項２】
横幅の広い家具用に中央部にも支柱を挟持固定する溝を設けたことを特徴とする請求項１記載の底函及び蓋函
【請求項３】
溝と溝及び函の側壁とで囲まれた空隙部分に支柱と同じ発泡プラスチック系の板材或いは木製或いは紙製などの補強板を嵌め込んだことを特徴とする請求項１記載の底函
【請求項４】
支柱をスタイロフォーム（ザ・ダウ・ケミカル・カンパニー／ダウ化工株式会社の登録商標）で形成したことを特徴とする請求項１記載の家具転倒防止装置
【請求項５】
壁面に切断用の目印となる寸法線を所定の間隔ごとに記載したことを特徴とする請求項１記載の支柱
【請求項６】
支柱の周辺にデザイン化した化粧紙或いは化粧布を巻設固定したことを特徴とする請求項１記載の支柱
【考案の詳細な説明】
【技術分野】
【０００１】  本考案は、タンスや食器棚等の家具と天井の間の空隙に嵌め込んで隙間をなくし、地震等の振動によって家具類が転倒するのを防止することができる家具転倒防止装置に関するものである。
【背景技術】
【０００２】  従来、家具の転倒防止用を目的とした金具や装置が数多く開発されている。
例えば、
（１）転倒しそうな家具類を壁や天井或いは鴨居などに固定するもの
【特許文献１】特開平８−２５６８５９号公報
【特許文献２】特開平８−２８０４６４号公報
【特許文献３】実用新案登録第３０１４６４９号公報
（２）建築時に壁面に家具固定用のレールを設置しておきこれに金物類を介して家具を固定するもの
【特許文献４】特開平０９−０９４１２８号公報
（３）家具の下部前面にかませものあるいは地震発生時に振動を感知して家具を一定方向に傾斜させるもの
【特許文献５】特開平０８−３２２６６７号公報
【特許文献６】特開平２０００−０８３７５１号公報
（４）家具と天井の間に突っ張り棒状のものを配置するもの
【特許文献７】特開平９−２６２１４７号公報
【特許文献８】特開平９−３０３３６６号公報
（５）戸棚状の箱に高さを調整できる棚状の昇降部材を備えた装置を家具と天井の間に配置するようにしたもの
【特許文献９】登録実用新案第３０４４９１２号公報
【０００３】  前記のような各種の家具転倒防止用具にもそれぞれいろいろな問題がある。
例えば、金具類を家具や壁、天井、鴨居などにビスなどで固定する方法は家具そのものに傷をつけるので高級家具では使用を敬遠されたり、地震時の巨大なエネルギーによる突き上げ、ねじれ等複雑な力によって家具と壁面との結合部にずれが生じてネジが簡単に外れて家具が転倒する。【０００４】  また、家具の前面下部にかませ物をして家具を後方に傾斜させる方法は、少々の傾斜では地震の際に役に立たないから、平時には使用に耐えられないくらい傾斜させなければならないので不便であり、また、常時は水平で地震を感じたときに瞬時に作動して家具を傾斜させる構造のものは装置が地震を感知して家具を傾斜させようとした時にはすでに家具は振動により跳ね上がったり、前方に倒れ始めているのでその効果は疑問である。【０００５】  また、家具と天井の間に突っ張り棒を配置するものは比較的わずかな面積で家具と天井に接しているので、天井部分が強固でない木造家屋では天井に局所的に大きな力が加わって天井が破損したり、突っ張り力が低下して転倒を防止することができなくなるなどの欠点を有している。【０００６】  また、特許文献９の登録実用新案第３０４４９１２号のように、箱状の本体と水平な天板及び該天板の両側に垂直な側板を有する昇降部材を本体に摺動させて高さを調整できるようにしたものは家具を面で天井に固定する点では前記のような家具を金具を介して壁や天井などにビス止めする方法と比較して転倒防止効果は優れているが、箱状の本体は収納庫として利用できるように構成したり、これに装着する昇降部材を摺動・固定するための機構等が必要であり、極めて高価にならざるを得ないという致命的欠点を有し、しかも箱体及び昇降部材が木材や金属で作られている場合は全体的に弾力性が全く無いので床からの突き上げる強力なエネルギーをストレートに天井に伝えるので、たとえ面接触とはいえ天井を破損させる恐れが十分にある。【０００７】  また、箱状の本体を収納庫として利用する為には相応の高さが必要となり、しかも、付随する昇降部材もあわせて耐震構造にするにはそれなりの厚さの板材が必要でかなりの重量となるとともに、家具と天井との間隔が箱本体の高さ（丈）以上開いている場合にしか利用できないし、家具と天井との間隔が高くなると箱の高さはそれなりに丈の高い箱が求められ、箱の丈と昇降部材の側板の丈との関係を考慮すると高さの調整にも限度があるなどの欠点を有している。
【考案の開示】
【考案が解決しようとする課題】
【０００８】  本考案は、家具と天井の間に枠状の物を介在させ、地震の際に面状態で家具を支える点では特許文献９の考案とその目的は一致しているが、該考案とは構造を全く異にし、しかも、その各種欠点を払拭した製品を提供するためになされたもので、主婦や老人でもカッターナイフやノコギリで簡単に高さを調整でき、しかも圧縮応力にきわめて優れた強靭な合成樹脂独立発泡体（たとえばスタイロフォームなど）よりなる板材を支柱として採用することにより、家具から天井までの高さの調整が簡単に行え、軽量で、強靭で、耐久性に優れしかも極めて安価な枠型の家具転倒防止装置を提供するためになされたものである。
【課題を解決するための手段】
【０００９】  本願はスタイロフォームのような合成樹脂を原料とした独立発泡体よりなる板状の部材を家具と天井の高さに応じて簡単にカットできる支柱用の部材と、該支柱を上下から挟持固定する溝をすくなくとも両側に有する底函と蓋函及び溝と溝とで囲まれた空隙部分に嵌合する補強板とを１セットとして供給し、顧客自身が家庭で家具と天井の高さに合わせて支柱部材をカットして枠状に組み立てたものを家具と天井の間隙に載置し、平常時は物置とか本棚として利用でき、地震の際には強力なエネルギーを弾力性のある支柱で吸収しながら広い面積で分散支持して天井の破壊と家具の転倒を容易に防止することができるようにしたものである。【００１０】  支柱用の部材には、切断が容易で強靭な合成樹脂を原料とした独立発泡体よりなる板状の資材を使用し、その一側面に直接又はデザイン化した紙や布に高さ調整時に便利な切断用の寸法線を印刷したものを巻きつけ固定して、家具と天井の高さに応じて主婦や老人でもカッターナイフやノコギリで簡単に切断できるようにしておく。【００１１】  お盆状の底函と蓋函は家具の大きさに応じて使い分けできるように、幅の狭い家具には上記のような溝の部分を両側だけに設けたものを使用し、幅の広い家具にはこれを２個連結するか、もしくは横幅の広い底函と蓋函の中央部分にそれぞれ溝を増設し支柱の数を３本に増やしたものを利用する。
【考案の効果】
【００１２】  この考案は、タンスや食器棚、本棚等の背丈が高くて転倒しやすい家具と天井との間にできる空隙部分に載置し、平常時は物置とか本棚として利用しながら、地震の際には下から突き上げた強力なエネルギーを発泡体独特の弾力性により吸収分散させ、しかも、家具の平面積とほぼ同様なお盆状枠体で天井に面接触して、エネルギーを広範囲に分散するので天井の破壊と家具の転倒を効率よく防止することができる。【００１３】  本考案の家具転倒防止装置で使用する支柱は、スタイロフォームのような独立発泡体で構成しているので、軽量で扱いやすく、主婦や老人のような力の無い素人にも簡単に切断がすることができ、しかも、極めて強靭で圧縮応力に優れ、耐久性抜群であり、組み立て終わった枠状の本装置をタンス等の家具の天板と天井の間の空隙部分に設置する際も前記のように軽量であるから主婦でも簡単に載せることができる。【００１４】  スタイロフォーム等の合成樹脂製品は安価であり、製品も極めて安価に提供できるので、転倒しやすい家具を多数所有している家庭でも、気軽に大量に購入して多くの家具に本考案を設置することができるので、震災時に人が家具の下敷きになって怪我をしたり、収納物が破損したりするのを未然に防止することができる。【００１５】  支柱部分は目に触れやすいので、デザイン化した紙や布（これに寸法を記載しておく）で覆っておくと見栄えが良く、しかも、合成樹脂の欠点である紫外線による劣化を防止して耐久性をより向上させることができる。【００１６】  底函と蓋函の溝と溝とで囲まれた空隙部分に補強板をセットとしておくと、地震の際に支柱部分の上端及び加担部分にひずみが生じても補強板が溝部分を支えて支柱が横揺れによりずれるのを防止することができる。【００１７】  本考案の家具転倒防止装置は枠状に組み立てたものを家具の頂部に載置するので、通常は本棚や小物置き場、或いは飾り棚等としてその利用方法は多種多様である。
【考案を実施するための最良の形態】
【００１８】  本考案の家具転倒防止装置は、切断が容易で強靭な弾力性に富む合成樹脂の独立発泡体で形成した支柱、該支柱を挟持固定する溝を有する底函と蓋函及び溝と溝の空隙部に嵌合する補強板を主たる構成部品としたものを１セットとして供給し、これを入手した家庭で、家具と天井の高さを考慮して支柱に記載されている寸法線を参考にカットした後、該支柱を底函と蓋函の各溝に差し込み、溝と溝の空隙部分に補強板を嵌め込んで枠状の家具転倒防止装置を完成し、これを家具と天井の空隙部に載置して家具の転倒を防止できるようにしたものである。
【実施例】
【００１９】  以下、図面により本考案の実施の形態を詳細に説明する。
第１図は本考案の家具転倒防止装置（支柱を３本使用）を家具に載置きした状態を示す概念図である。
第２図は横幅９００ｍｍの家具転倒防止装置のセットを示し、次の部品で構成する。
（１）成樹脂の独立発泡体、例えば、ポリスチレンを主原料にした板状のスタイロフォーム（前記登録商標）のようなカッターナイフで主婦や老人でも簡単に切断でき、しかも、軽くて（水の重さの１／３０）圧縮応力に優れた強靭な板材Ａ（厚さ約１００ｍｍ、幅４５０ｍｍ、長さ６００ｍｍ）を支柱１用として２枚、同様に（厚さ５０ｍｍ、幅、長さは支柱１と同じ）を中間用の支柱１‘として１枚を支柱セットとする。
（２）該支柱１，支柱１’の端縁部２を収納し挟持固定する溝３、溝３’を両側及中央に有し、かつ高さ４０ｍｍ位の縁４を有する横幅９００ｍｍのお盆状の底函５と蓋函６をプラスチックで成型する。  （３）支柱と同様のスタイロフォームの板材Ａで厚さが縁４より若干薄く、横幅４５０ｍｍ、長さが３２５ｍｍに裁断したもの２枚を溝３と溝３‘で囲まれた部分に嵌め込む補強板７とする。【００２０】  なお、支柱１，１‘の外周に、和室、洋室、子供部屋等その部屋の雰囲気にマッチするようにデザイン化した化粧紙や化粧布８に、高さ調整時の裁断の目安となる寸法線９を印刷したものを巻きつけ固定したり、あるいは支柱に直接寸法線９を印刷することもある。【００２１】  上記の家具転倒防止装置セットを購入した家庭では、タンス等の家具Ｂと天井Ｃの間の高さを測定し、それに合わせて支柱セットの各支柱の側壁に記載されている寸法線９を目安にカッターナイフ等で切断して支柱１あるいは支柱１‘となし、これを図３に示すように底函５の溝３、溝３’及び蓋函６の溝３，溝３‘に嵌め込み、さらに、底函５の溝３と溝３’で囲まれた空間部分に補強板７を嵌め込んで枠状の家具転倒防止装置Ｄを完成し、該家具転倒防止装置Ｄを図１に示すように家具Ｂと天井Ｃの間隙部分に載置する。【００２２】  家具の寸法は一般的には横幅９００ｍｍのものが標準的ではあるが、６００ｍｍ、あるいは１２００ｍｍのものも存在する。
横幅６００ｍｍの家具に対応する家具転倒防止装置は、前記実施例において、中間の支柱１‘を省略し、かつ、これに対応する横幅６００ｍｍの底函５と蓋函６で構成したものを使用し、横幅１２００ｍｍの大型家具には、該家具転倒防止装置を横に２個連結することにより対応することができる。【００２３】    この考案は前記のように構成されているので、タンスや食器棚のように転倒しやすい家具と天井の間の空隙部分に載置し、平常時は物置とか本棚として利用でき、地震の際には強力なエネルギーを発泡体独特の弾力性により吸収すると同時に家具の平面積とほぼ同じ面積で広く天井に接して、エネルギーを広範囲に分散するので天井の破壊と家具の転倒を効率よく防止することができる。【００２４】  本考案の支柱は、スタイロフォームのような独立発泡体で構成しているので、軽量で扱いやすく、主婦や老人のような力の無い素人にも簡単に切断したり組み立てることができ、しかも組み立て終わった本装置全体が軽量であるから簡単に家具の上に載せることができる。【００２５】  また、支柱その他の主要部材はスタイロフォーム等安価な合成樹脂製品で構成されており、かつ、構造が簡単で、製品を極めて安価に提供できるので、転倒しやすい家具を多数所有している家庭でも、手軽に大量購入して多くの家具に設置することができ災害防止に極めて効果的である。
【図面の簡単な説明】
【００２６】
【図１】家具転倒防止装置を設置した状態を示すイメージ図である。
【図２】家具転倒防止装置の組立て前の部品の構成図である。
【図３】組立ての手順を示す説明図である。
【符号の説明】
【００２７】１  両側用の支柱
１‘  中間用の支柱
２  支柱の端縁部
３  両側の溝
３‘  中間の溝
４  底函及び蓋函の縁
５  底函
６  蓋函
７  補強板
８  化粧紙や化粧布
９  寸法線
Ａ  独立発泡体の板材
Ｂ  家具
Ｃ  天井
Ｄ  組立て後の家具転倒防止装置
【図１】
0003104195.tif 000003
【図２】
0003104195.tif 000004
【図３】
0003104195.tif 000005
【手続補正書】
【提出日】平成16年4月25日(2004.4.25)
【手続補正１】
【補正対象書類名】実用新案登録請求の範囲
【補正対象項目名】請求項４
【補正方法】変更
【補正の内容】
【請求項４】
ポリスチレン原料を釜の中で溶解し、適度の圧力とガスを加えて泡状に噴出させ板状に加工したＪＩＳ規格１種から３種の圧縮性、撥水性に極めて優れた硬質の独立発泡ポリスチレンの板材で支柱を形成したことを特徴とする請求項１記載の家具転倒防止装置
【手続補正２】
【補正対象書類名】明細書
【補正対象項目名】０００８
【補正方法】変更
【補正の内容】
【０００８】  本考案は、家具と天井の間に枠状の物を介在させ、地震の際に面状態で家具を支える点では特許文献９の考案とその目的は一致しているが、該考案とは構造を全く異にし、しかも、その各種欠点を払拭した製品を提供するためになされたもので、主婦や老人でもカッターナイフやノコギリで簡単に高さを調整でき、しかも圧縮応力にきわめて優れた強靭な合成樹脂独立発泡体、たとえばスタイロフォーム（ザ・ダウ・ケミカル・カンパニー／ダウ化工株式会社の登録商標）などよりなる板材を支柱として採用することにより、家具から天井までの高さの調整が簡単に行え、軽量で、強靭で、耐久性に優れしかも極めて安価な枠型の家具転倒防止装置を提供するためになされたものである。